(57)【特許請求の範囲】
【請求項１】
閃光放電管と、該閃光放電管から放射される放射光のうち、波長が５６６．５ｎｍ以上７８０ｎｍ以下の範囲内の放射光を透過させる波長透過手段と、前記閃光放電管から放射される放射光を前記波長透過手段に導くとともに、前記波長透過手段を透過した透過光が予防したい部位又は罹患した部位に照射されるように、前記放射光および前記透過光の照射範囲を制御する照射範囲制御手段と、前記閃光放電管の発光を制御する発光制御手段とを備え、皮膚炎疾患罹患部または予防部に対して、前記透過光を照射することを特徴とする炎症性サイトカインの産生抑制装置。
【請求項２】
前記波長透過手段は、波長が７４６ｎｍ以下の放射光を透過させる請求項１に記載の炎症性サイトカインの産生抑制装置。
【請求項３】
前記波長透過手段は、波長が６００ｎｍ以上７００ｎｍ以下の範囲内の放射光を透過させる請求項１又は２に記載の炎症性サイトカインの産生抑制装置。
【請求項４】
前記発光制御手段は、前記閃光放電管を１回又は複数回に分けて閃光発光させる請求項１〜請求項３のいずれかに記載の炎症性サイトカインの産生抑制装置。
【発明の詳細な説明】
【技術分野】
【０００１】
本発明は、炎症性疾患の罹患を予防し、罹患時の症状を軽減し、又は、炎症性疾患を抑制する働きのある、炎症性サイトカインの産生抑制装置及び炎症性サイトカインの産生を抑制する方法に関する。
【背景技術】
【０００２】
従来より、様々な波長の光を患部に照射することにより様々な疾患を治療（疾患の罹患を予防するために健常者に対して行う予防治療を含む、以下同じ）する光線治療装置が開発されている（特許文献１，２等参照）。このような中、特許出願人も、デジタルスチルカメラ等で用いられる閃光放電管を、このような光線治療装置に利用できないか研究しているところである。
【０００３】
具体的には、特許出願人は、炎症性疾患の多くが生体内における炎症性サイトカインの過剰な炎症反応と関連している（例えば、特許文献３等参照）ことに着目し、この炎症性サイトカインと閃光放電管から照射される照射光との関係について研究を行っていた。
【０００４】
この炎症性サイトカインは、炎症を促進する働きがあり、各種刺激によって血球から産生される。健常時は、この炎症性サイトカインは、同じく血球から産生されて炎症を抑制する活性を有する抗炎症性サイトカインとの互いの産生量が適宜調整されていることにより、生体内における炎症反応が過剰になることなく正常範囲内に制御されている。
【先行技術文献】
【特許文献】
【０００５】
【特許文献１】特開２００３−３２５６８４号公報
【特許文献２】特開２００８−３０７３０６号公報
【特許文献３】特開２０１０−２３５４４７号公報
【発明の概要】
【発明が解決しようとする課題】
【０００６】
そのため、本願出願人は、この炎症性サイトカインの産生を抑制すれば、少なくとも、炎症性疾患の罹患を予防し、罹患時の症状を軽減し、又は、炎症性疾患を抑制することができると考えた。そこで、本願出願人は、閃光放電管から放射される放射光を照射することにより、この炎症性サイトカインの産生を抑制することが可能かについて研究を行っていた。
【０００７】
本発明は、かかる事情に鑑み、放電管から放射される放射光を照射することにより、炎症性サイトカインの産生を抑制することができる、炎症性サイトカインの産生抑制装置及び炎症性サイトカインの産生を抑制する方法を提供することを目的とする。
【課題を解決するための手段】
【０００８】
本発明の炎症性サイトカイン産生抑制装置は、閃光放電管と、該閃光放電管から放射される放射光のうち、波長が５６６．５ｎｍ以上７８０ｎｍ以下の範囲内の放射光を透過させる波長透過手段と、前記閃光放電管から放射される放射光を前記波長透過手段に導くとともに、前記波長透過手段を透過した透過光が予防したい部位又は罹患した部位に照射されるように、前記放射光および前記透過光の照射範囲を制御する照射範囲制御手段と、前記閃光放電管の発光を制御する発光制御手段とを備えるという構成を有している。
【０００９】
かかる構成によれば、波長透過手段は、本出願人によって発見された炎症性サイトカインの産生を抑制する働きを有する波長が５６６．５ｎｍ以上７８０ｎｍ以下の範囲内の放射光を透過させる。波長透過手段が透過する上限値である７８０ｎｍの波長は、可視光（線）の上限値であり、炎症性サイトカインの産生を抑制する一方、疾患の罹患を予防したい部位又は罹患した部位（当該部位と医学的に関連があるため当該部位の治療に効果がある部位を含む。以下同じ）に照射する際の熱的影響を最小限に抑えることができる技術的意味を有する値である。当該装置は、各種疾患（例えば、炎症や肌荒れなど）を予防したい部位又は罹患した部位に波長透過手段を透過し、照射範囲制御手段によって制御される透過光を照射することにより、炎症性サイトカインの産生を抑制することができる。そして、炎症性サイトカインの産生が抑制されることによって、例えば、炎症性疾患は、その罹患が予防され、罹患時の症状が軽減され、又は、炎症性疾患が抑制される。
【００１０】
また、請求項２記載の発明において、前記波長透過手段は、波長が７４６ｎｍ以下の放射光を透過させることが好ましい。
【００１１】
かかる構成によれば、波長透過手段は、炎症性サイトカインの産生を抑制する働きがより効果的に認められる波長の上限値である７４６ｎｍ以下の範囲内の放射光を透過させる。当該装置は、各種疾患を予防したい部位又は罹患した部位に波長透過手段から透過した透過光を照射することにより、炎症性サイトカインの産生をより効果的に抑制することができる。
【００１２】
また、請求項３記載の発明において、前記波長透過手段は、波長が６００ｎｍ以上７００ｎｍ以下の範囲内の放射光を透過させることが好ましい。
【００１３】
かかる構成によれば、波長透過手段は、炎症性サイトカインの産生を抑制する働きが更に効果的に認められる波長が６００ｎｍ以上７００ｎｍ以下の範囲内の放射光を透過させる。当該装置は、各種疾患を予防したい部位又は罹患した部位に波長透過手段から透過した透過光を照射することにより、炎症性サイトカインの産生を更に効果的に抑制することができる。
【００１４】
また、請求項４記載の発明において、前記発光制御手段は、前記放電管を１回又は複数回に分けて閃光発光させることが好ましい。
【００１５】
かかる構成によれば、発光制御手段は、波長透過手段を透過した透過光を炎症性サイトカインの抑制に効果のあった閃光発光させて照射することができる。よって、当該装置は、炎症性サイトカインの産生を更に効果的に抑制することができる。
【発明の効果】
【００１８】
本発明の炎症性サイトカインの産生抑制装置及び炎症性サイトカインの産生を抑制する方法によれば、放電管から放射される放射光を照射することにより、炎症性サイトカインの産生を抑制することができる。
【図面の簡単な説明】
【００１９】
【図１】（ａ）は、波長ごとの血管内皮細胞増殖因子（ｈＶＥＧＦ）の産生量を示すグラフ、（ｂ）は、波長ごとの炎症性サイトカインの産生比を示すグラフ
【図２】本発明の実施形態に係る炎症性サイトカインの産生抑制装置の制御回路図
【図３】同実施形態に係る炎症性サイトカインの産生抑制装置の外観図
【図４】同実施形態に係る炎症性サイトカインの産生抑制装置に用いたバンドパスフィルタ（波長透過手段）の透過光の分光特性を示すグラフ
【図５】同実施形態に係る炎症性サイトカインの産生抑制装置のブロック図
【図６】同実施形態に係る炎症性サイトカインの産生抑制装置の実験結果を示すグラフ
【発明を実施するための形態】
【００２０】
本発明の実施形態に係る炎症性サイトカインの産生抑制装置（以下、単に「産生抑制装置」と略す）について、図面を参酌しつつ、説明する。まず、同実施形態に係る産生抑制装置が産生を抑制する炎症性サイトカインの働きについて、図１（ａ）及び図１（ｂ）を参酌しつつ説明する。
【００２１】
炎症性サイトカインは、生体内の多彩な細胞間情報を担う可溶性タンパク質の総称であるサイトカインの一種である。特に、炎症性サイトカインは、生体内における様々な炎症症状を引き起こす原因因子として関与し、活性化マクロファージや活性化血管内皮細胞から産生される。
【００２２】
具体的に例示すると、炎症性サイトカインには、実験等で検証された代表的な炎症性サイトカインである、（ｈ）ＶＥＧＦ（血管内皮細胞増殖因子、Ｖａｓｃｕｌａｒ  Ｅｎｄｏｔｈｅｌｉａｌ  Ｇｒｏｗｔｈ  Ｆａｃｔｏｒ）、ＴＮＦα（腫瘍壊死因子、ｔｕｍｏｒ  ｎｅｃｒｏｓｉｓ  ｆａｃｔｏｒ−α）、ＩＬ−１β（インターロイキン１β、ｉｎｔｅｒｌｅｕｋｉｎ−１β）、ＩＦＮγ（インターフェロンγ、ｉｎｔｅｒｆｅｒｏｎγ）、ＩＬ−６（インターロイキン６、ｉｎｔｅｒｌｅｕｋｉｎ−６）、ＩＬ−１２ａ（インターロイキン１２ａ、ｉｎｔｅｒｌｅｕｋｉｎ−１２ａ）などが分類される。
【００２３】
本願出願人は、この炎症性サイトカインが放電管から照射される照射光の特定の波長でｈＶＥＧＦの産生量が他の波長と比較して強く抑制されることを発見した。
【００２４】
すなわち、図１（ａ）に示すように、キセノン放電管を発光させてヒト表皮細胞に照射した照射光を半値幅４０ｎｍのバンドパスフィルタで所定の中心波長ごとに分光し、中心波長毎のｈＶＥＧＦの産生量を比較した結果、中心波長６００ｎｍ〜中心波長７００ｎｍの間で産生量が最も少なくなることがわかった。
【００２５】
また、図１（ｂ）に示すように、同じくキセノン放電管を発光させてヒト表皮細胞に照射した照射光を半値幅４０ｎｍのバンドパスフィルタで所定の中心波長ごとに分光し、中心波長毎の炎症性サイトカインの産生比（照射しない場合を基準とした比率）を比較した結果、中心波長６５０ｎｍで最も低くなる（強く抑制される）ことがわかった。なお、図１（ｂ）で示す照射光の波長ごとの炎症性サイトカインの産生比は、照射光を照射しなかった場合を基準（「１」とした）とした相対的な値で示されている。各炎症性サイトカインの産生比は、波長ごとに、左からＴＮＦα、ＩＬ−１β、ＩＦＮγ、ＩＬ−６、ＩＬ−１２ａの順にその産生比の結果を示す。
【００２６】
また、炎症性サイトカインは、生体において多種類のサイトカインが複雑なネットワークを形成しながら、全体として方向性のある活性を発揮する。炎症性サイトカインは、同じく血球から産生され、炎症を抑制する活性を有する抗炎症性サイトカインとのバランスが崩れることにより、炎症反応の過剰な疾患状態を惹起させる。なお、抗炎症性サイトカインの一つであるＩＬ−４（インターロイキン１α、ｉｎｔｅｒｌｅｕｋｉｎ−４）には、効果がない（産生が抑制されない）ことも実験等から判明している。
【００２７】
そして、この炎症性サイトカインの産生を抑制することにより、新規メカニズムの炎症性疾患治療が可能となる。
【００２８】
次に、本発明の実施形態に係る産生抑制装置について、図２〜図５を参酌しつつ説明する。同実施形態に係る産生抑制装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する装置である。
【００２９】
同実施形態に係る産生抑制装置１は、図２で図示する産生抑制装置の制御回路図に示されているように、放電管２と、該放電管２から放射される放射光を照射する照射範囲を制御する照射範囲制御手段３と、放電管２から放射される放射光のうち波長が特定の範囲内の放射光を透過させる波長透過手段４と、放電管２の発光を制御する発光制御手段５と、放電管２及び発光制御手段５に電気を供給する電源供給手段６と、放電管２、照射範囲制御手段３、波長透過手段４、発光制御手段５及び電源供給手段６を収納するとともに、波長透過手段４から透過された透過光を使用者の予防したい部位又は罹患した部位（特定部位）に照射可能な構造を有する装置本体７（図３参照）と、を備える。
【００３０】
放電管２は、炎症性サイトカインの産生を抑制するために使用者の生体の予防したい部位又は罹患した部位に照射する光源となる。放電管２は、例えば、キセノン放電管やハロゲン放電管などの閃光放電管であって、特に、本実施形態では、キセノン放電管を用いる例を説明する。
【００３１】
照射範囲制御手段３は、放電管２から放射される放射光を波長透過手段４に導くとともに、波長透過手段４を透過した透過光が使用者の予防したい部位又は罹患した部位に照射されるように、放電管２から略全方位に放射される放射光の照射範囲を制御する。照射範囲制御手段３は、具体的には、放射光を特定の照射方向に反射させて制御する反射傘などの反射部材、放射光を屈折させることにより集光・発散させて制御する光学部材、放射光を導く光路を用いて制御する導光体、及び、これらの組み合わせなどである。
【００３２】
波長透過手段４は、放電管２から放射された放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）を例に説明する。
【００３３】
波長透過手段４は、波長が５６６．５ｎｍ以上７８０ｎｍ以下の範囲内の放射光を透過させる。図４に図示する各バンドパスフィルタを透過した透過光の分光特性（分光透過率）のグラフからわかるように、この波長範囲の下限値は、（図４の実線Ｃでその分光特性を示す）中心波長６００ｎｍのバンドパスフィルタＣを透過する透過光の透過率が最大となる波長（実線Ｃ上のｂ点に対応する波長）の透過率の２分の１（半分）となる短波長側の波長（実線Ｃ上のａ点に対応する波長５６６．５ｎｍ）である。上限値は、可視光の最大波長である。
【００３４】
前述のとおり、中心波長６００ｎｍのバンドパスフィルタＣは、図１（ａ）で示すとおり、ｈＶＥＧＦの産生量を抑制する働きがある波長を透過する光学フィルタである。また、この中心波長６００ｎｍのバンドパスフィルタＣより短波長側の（図４の実線Ｂでその分光特性を示す）中心波長５００ｎｍのバンドパスフィルタＢは、図１（ａ）で示す結果より、ｈＶＥＧＦの産生量を抑制する効果が低いと考えられる。よって、中心波長６００ｎｍのバンドパスフィルタＣの短波長側の波長ａは、炎症性サイトカインを抑制する働きがある下限値であると評価できる。
【００３５】
また、近赤外線（波長７８０ｎｍ超）は、使用者に照射する際に熱的な影響が大きいため、波長透過手段４は、この近赤外線に至るまでの可視光線（波長７８０ｎｍ以下）の上限値を上限とされている。
【００３６】
また、波長透過手段４は、好ましくは、波長が５６６．５ｎｍ以上７４６ｎｍ以下の範囲内の放射光を透過させるようにしてもよい。この波長範囲の上限値は、（図４の実線Ｅでその分光特性を示す）中心波長７００ｎｍのバンドパスフィルタＥを透過する透過光の透過率が最大となる波長（実線Ｅ上のｄ点に対応する波長６７６．５ｎｍ）の透過率の２分の１（半分）となる長波長側の波長（実線Ｅ上のｆ点に対応する波長）である。
【００３７】
前述のとおり、中心波長７００ｎｍのバンドパスフィルタＥは、図１（ａ）で示すとおり、ｈＶＥＧＦの産生量が抑制する働きがある波長を透過する光学フィルタである。また、この中心波長７００ｎｍのバンドパスフィルタＥより長波長側の（図４の実線Ｆでその分光特性を示す）中心波長８８０ｎｍのバンドパスフィルタＦは、図１（ａ）で示す結果より、ｈＶＥＧＦの産生量を抑制する効果が低いと考えられる。よって、中心波長７００ｎｍのバンドパスフィルタＥの長波長側の波長（実線Ｅ上のｆ点に対応する波長）は、炎症性サイトカインを抑制する働きがある値であると評価できる。
【００３８】
なお、波長７８０ｎｍも、中心波長８８０ｎｍのバンドパスフィルタＦを透過する透過光の波長よりも短波長側であるため（実線Ｅ上のｇ点に対応する波長）、この波長の照射光を照射することによる炎症性サイトカインの抑制効果を否定するものではなく、その働きが高く評価できるというものである。
【００３９】
また、波長透過手段４は、より好ましくは、波長が６００ｎｍ以上７００ｎｍ以下の範囲内の放射光を透過させるようにしてもよい。図１（ａ）で示すとおり、ｈＶＥＧＦの産生量を抑制することができる波長の透過光を透過する光学フィルタである中心波長６００ｎｍ及び７００ｎｍのバンドパスフィルタＣ，Ｅの中心波長（実線Ｃ上のｃ点に対応する波長及び実線Ｅ上のｅ点に対応する波長）を用いることにより、更に炎症性サイトカインが高く抑制できる。
【００４０】
また、前述のとおり、図１（ｂ）でその抑制効果のある（図４の実線Ｄでその分光特性を示す）中心波長６５０ｎｍのバンドパスフィルタＤを透過する透過光の波長の範囲が、中心波長６００ｎｍと中心波長７００ｎｍのバンドパスフィルタＣ，Ｅの間に位置しており、その波長の範囲がそれぞれの波長の範囲と重なっていることから、中心波長６００ｎｍ〜中心波長７００ｎｍのバンドパスフィルタＣ〜Ｅを透過する波長の透過光に抑制効果があると考えられる。なお、図４の実線Ａは、光学フィルタを透過させていない状態の透過光の分光特性である。
【００４１】
発光制御手段５は、図５に示す制御ブロック図に示されるように、放電管２の発光を制御する機能を有する発光制御部８と、その動作状態を表示する動作表示手段９と、を備える。
【００４２】
発光制御部８は、具体的には、放電管２を１回又は複数回に分けて閃光発光させたり、所定の発光間隔で発光制御させたり、複数回に分けて閃光発光させる場合は、更に、放電管２が放射する放射エネルギーを所定の放射エネルギー以下に抑えて閃光発光させるなどの様々な発光パターンで放電管２を発光制御する。
【００４３】
動作表示手段９は、図３に示すように、照射可能状態を表示する照射状態表示用ＬＥＤ１０と、故障が発生していることを報知して使用者に警告する警告用ＬＥＤ１１と、次の照射可能状態になるまでの待ち時間を表示する待ち時間表示用ディスプレイ（７セグメントディスプレイ）１２と、を備える。なお、動作表示手段９の各構成は、ＬＥＤや７セグメントディスプレイである例を示したが、これに限定されず、各種ランプや液晶ディスプレイなどであってもよく、また、外部端末の表示部に表示されるものであってもよい。
【００４４】
照射状態表示用ＬＥＤ１０は、照射光の照射の準備が完了したときに緑色点灯して表示する。照射状態表示用ＬＥＤ１０は、具体的には、放電管２の充電が完了したときや、前の照射からの待ち時間（３０秒）経過後に点灯する。
【００４５】
警告用ＬＥＤ１１は、電源供給手段６が異常（電圧異常、充電異常等）となったときや、装置本体７の内部の温度が上昇したときなどに赤色点灯して表示する。警告用ＬＥＤ１１は、１回の照射終了後３０秒間は、次の照射を開始させないため、その期間にも点灯する。
【００４６】
待ち時間表示用ディスプレイ１２は、照射可能な状態を「００」で表示する。待ち時間表示用ディスプレイ１２は、照射可能な状態までの待ち時間を「００」以外の数値で表示し、「００」までカウントダウンすることで表示する。また、待ち時間表示用ディスプレイ１２は、故障発生時、その発生した故障を対応する識別番号で表示する故障表示用ディスプレイとしても機能する。
【００４７】
電源供給手段６は、図２に示すように、放電管２の発光エネルギーを蓄える蓄電手段１３と、該蓄電手段１３を充電する充電回路１４と、蓄電手段１３に電気を供給する電源部１５と、該電源部１５のオン・オフを切り替える電源スイッチ１６（図３も参照）と、を備える。電源供給手段６は、放電管２以外にも、発光制御手段５の電源としても用いられる。
【００４８】
蓄電手段１３は、例えば、放電管２を発光させるのに必要な電気容量を有し、放電管２と並列に接続される主コンデンサである。充電回路１４は、電源部１５を介して供給される電気を蓄電手段１３に充電する。電源部１５は、例えば、プラグ受け（電源コンセント）に接続して電気の供給を受け付けるためのプラグ１７（図３参照）と電源ケーブル１８（図３参照）と、を備える。なお、電源部１５は、電池又は充電池などを備えるものであってもよい。
【００４９】
装置本体７は、図３に示すように、少なくとも一つの開口を有する略直方体形状に形成されており、放電管２、照射範囲制御手段３、波長透過手段４、発光制御手段５、電源供給手段６などを内蔵させるケーシングである。この装置本体７は、一方の面（以下、「前面」と称する）に形成された開口部１９から使用者の手を挿入して、手の甲に特定範囲の波長の光を照射するための台である載置部２０と、該載置部２０内で照射される照射光が開口部１９から漏れることを防止する漏光防止手段２１と、放電管２等で高温となる内部を冷却するための冷却手段２２と、持ち運ぶために把持する取手２３と、を備える。
【００５０】
載置部２０は、開口部１９から挿入された使用者の手の位置を位置決めするためのガイド２４と、使用者の手が所定の位置に配置され、照射可能な状態になっていることを検出する自動開始用センサ２５と、を備える。
【００５１】
ガイド２４は、各指を挿入可能な間隔を空けて並列に複数配置される。自動開始用センサ２５は、具体的には赤外線ＬＥＤと赤外フォトトランジスタとを有し、赤外線ＬＥＤから発光された光を赤外線フォトトランジスタで受光し、所定時間（例えば、２秒以上）その受光を遮ることにより感知する。すなわち、自動開始用センサ２５は、使用者が挿入した手によって赤外線ＬＥＤと赤外線フォトトランジスタとの間の光が遮断されることにより、手が挿入されたことを検出する。発光を終了して、再び、赤外線ＬＥＤから照射された光を赤外線フォトトランジスタが検出するまで、発光が開始されない。
【００５２】
漏光防止手段２１は、内部で照射される光が開口部１９から漏れないように光を遮断する遮光カバーである。漏光防止手段２１は、使用者が手を挿入する際には開らき、手の装入がし易くなっており、発光時には手を挿入しているスペースを残して開口部１９の上半分を塞ぐように閉まるように開口部１９に配置される。漏光防止手段２１は、具体的には、減光フィルタ（ＮＤフィルタ）や遮蔽板である。
【００５３】
冷却手段２２は、冷却ファン（図示せず）で熱源を冷却し、装置本体７の後部（上面後端）に設けられた排気口２６，…から高温の空気を排気する。なお、冷却手段２２は、空冷方式に限定されるものではなく、その用途又は冷却容量などによって水冷方式としてもよい。
【００５４】
次に、本発明の実施形態に係る産生抑制装置１を用いて炎症性サイトカインの産生を抑制する方法について、説明する。
【００５５】
まず、電源スイッチ１６をオンにし、照射状態表示用ＬＥＤ１０が緑色点灯するのを確認してから、開口部１９から手を挿入し、ガイド２４，…間に指を挿入して載置部２０の所定位置に手を配置する。使用者の手がガイド２４，…に収まると、自動開始用センサ２５が感知し、発光制御手段５が放電管２を発光させて光を放射させる。放射させた光は、所定間隔で複数回閃光発光し、波長透過手段４を透過して、使用者の予防したい部位又は罹患した部位に照射される。
【００５６】
このように、波長透過手段４は、本願出願人によって発見された炎症性サイトカインの産生を抑制する働きを有する波長が５６６．５ｎｍ以上７８０ｎｍ以下の範囲内の放射光を透過させる。波長透過手段４が透過する上限値である７８０ｎｍの波長は、可視光（線）の上限値であり、炎症性サイトカインの産生を抑制する一方、疾患の罹患を予防したい部位又は罹患した部位に照射する際の熱的影響を最小限に抑えることができる技術的意味を有する値である。当該装置１は、各種疾患（例えば、炎症や肌荒れなど）を予防したい部位又は罹患した部位に波長透過手段４から透過した透過光を照射することにより、炎症性サイトカインの産生を抑制することができる。そして、炎症性サイトカインの産生が抑制されることによって、例えば、炎症性疾患は、その罹患が予防され、罹患時の症状が軽減され、又は、炎症性疾患が抑制される。
【００５７】
また、発光制御手段５は、放電管２から波長透過手段４を透過させて照射する照射光の放射エネルギーを、各種疾患の予防したい部位又は罹患した部位が許容可能な所定の放射エネルギー以下に抑えて放電管２の発光を制御する。よって、当該装置１は、各種疾患の予防したい部位又は罹患した部位に照射される放射エネルギーが所定の放射エネルギーを超えることがないため、予防したい部位又は罹患した部位に熱的な損傷を与えることがなく、炎症性サイトカインの産生を抑制することができる。
【００５８】
次に、本実施形態に係る産生抑制装置１の効果を確認した実施結果を、図６を参酌しつつ説明する。この実施例は、実験を開始してから定期的に薬剤を塗布して炎症（マウス耳介炎症）を起こさせて、そのときのマウスの耳厚の変化量を、キセノン放電管の光を照射しない場合（図６の破線で示されるグラフ）と、キセノン放電管の光を中心波長６５０ｎｍ（半値幅４０ｎｍ）のバンドパスフィルタ（波長透過手段４）に透過させた透過光を照射した場合（図６の実線で示されるグラフ）とで比較したものである。
【００５９】
本実施例では、実験開始日（０日）、及び、実験経過７日後及び１５日後に炎症を起こさせた。中心波長６５０ｎｍの透過光を照射する場合においては、最初に炎症を起こす５日前（−５日）からキセノン放電管の光を照射し、１日当たり２５回を５秒間隔で照射した。
【００６０】
この結果、照射しなかった場合よりも中心波長６５０ｎｍの照射光を照射した場合の方がマウスの耳厚変化量が軽減され、すなわち、腫れが抑制されていることがわかった。特に実験経過１４日後で、照射しなかった場合と比較して約３５％も耳の腫れが抑制された（４回実施した平均値）。
【００６１】
これは、中心波長６５０ｎｍの照射光を照射することにより、炎症性サイトカインの産生が抑制されたためである。しかも、本実施例では、炎症を発生させる前から照射光を照射しており、このことが炎症（の重症化）の予防又は罹患時の症状の軽減に効果があることを示している。また、炎症性サイトカインの産生を抑制することができることから、炎症性疾患の抑制にも効果があると考えられる。
【００６２】
このことからも、本発明の産生抑制装置及び炎症性サイトカインの産生を抑制する方法によれば、放電管から放射される放射光を照射することにより、炎症性サイトカインの産生を抑制することができ、炎症性疾患の罹患を予防し、罹患時の症状を軽減し、又は、炎症性疾患を抑制させることができる。
【００６３】
なお、本発明に係る炎症性サイトカインの産生抑制装置及び炎症性サイトカインの産生を抑制する方法は、上記実施形態に限定されるものではなく、本発明の要旨を逸脱しない範囲内において種々変更を加え得ることは勿論である。
【００６４】
例えば、上記実施形態に係る炎症性サイトカインの産生抑制装置１及び炎症性サイトカインの産生を抑制する方法は、手に照射する例を説明したが、これに限定されるものではない。例えば、炎症性サイトカインの産生の抑制を予防したい他の生体の部位又は罹患した他の生体の部位に照射するようにしてもよく、その生体の部位は、肩や腰、足、全身などどのような場所に照射されるような場合であってもよい。また、人間に照射する場合に限定されるものではなく、人間以外の動物などの生体に対し、治療のために光を当該特定部位に照射するようにしてもよい。これらの場合は、本実施形態に係る炎症性サイトカインの産生抑制装置１の構造に限定されず、適宜、照射する生体の特定部位に適した構造とすることを妨げるものではない。
【００６５】
また、上記実施形態に係る炎症性サイトカインの産生抑制装置１及び炎症性サイトカインの産生を抑制する方法は、波長透過手段４にバンドパスフィルタを用いる例を説明したが、これに限定されるものではない。例えば、ショートパスフィルタ（長波長カットフィルタ）とロングパスフィルタ（短波長カットフィルタ）との組み合わせにより、入射された入射光の特定範囲の波長を選択して透過させるものであってもよい。
【産業上の利用可能性】
【００６６】
本発明に係る炎症性サイトカインの産生抑制装置及び炎症性サイトカインの産生を抑制する方法は、放電管と、該放電管から放射される放射光のうち、波長が５６６．５ｎｍ以上７８０ｎｍ以下の範囲内の放射光を透過させる波長透過手段と、前記放電管の発光を制御する発光制御手段とを備える構成を有することによって、放電管から放射される放射光を照射することにより、炎症性サイトカインの産生を抑制することが必要な用途にも適用することができる。
【符号の説明】
【００６７】
１  （炎症性サイトカインの）産生抑制装置
２  放電管
３  照射範囲制御手段
４  波長透過手段
５  発光制御手段
６  電源供給手段
７  装置本体
８  発光制御部
９  動作表示手段
１０  照射状態表示用ＬＥＤ
１１  警告用ＬＥＤ
１２  待ち時間表示用ディスプレイ
１３  蓄電手段
１４  充電回路
１５  電源部
１６  電源スイッチ
１７  プラグ
１８  電源ケーブル
１９  開口部
２０  載置部
２１  漏光防止手段
２２  冷却手段
２３  取手
２４  ガイド
２５  自動開始用センサ
２６  排気口
【図１】
0005857177.tif 000002
【図２】
0005857177.tif 000003
【図３】
0005857177.tif 000004
【図４】
0005857177.tif 000005
【図５】
0005857177.tif 000006
【図６】
0005857177.tif 000007